(57)【要約】半導体装置は、第１の面１９を有する第１の基材１と、第１の面１９に隣接する第２の面２０を有し、第１の基材１とは線膨張係数が異なり、第１の基材１と接する第２の基材２と、第１の面１９上及び第２の面２０上に、第１の基材１と第２の基材２との境界線２８を跨ぐように設けられた第１の配線３１とを備える。境界線２８上での第１の配線３１の断面積は、第１の配線３１のうち、第１の面１９上に設けられた部分の少なくとも一部の配線幅方向断面の面積、又は第１の配線３１のうち、第２の面２０上に設けられた部分の少なくとも一部の配線幅方向断面の面積よりも大きい。
2013057867.tif 000002
【特許請求の範囲】
【請求項１】
回路が形成された第１の面を有する第１の基材と、
前記第１の面と同じ方向を向いて前記第１の面に隣接する第２の面を有し、前記第１の基材とは線膨張係数が異なり、前記第１の基材と接する第２の基材と、
前記第１の面上及び前記第２の面上に、平面視における前記第１の基材と前記第２の基材との第１の境界線を跨ぐように設けられ、前記第１の面に形成された回路に接続された第１の配線とを備え、
前記第１の境界線上での前記第１の配線の断面積は、前記第１の配線のうち、前記第１の面上に設けられた部分の少なくとも一部の配線幅方向断面の面積、又は前記第１の配線のうち、前記第２の面上に設けられた部分の少なくとも一部の配線幅方向断面の面積よりも大きい半導体装置。
【請求項２】
請求項１に記載の半導体装置において、
前記第１の境界線上における前記第１の配線の配線幅は、前記第１の面上における前記第１の配線の少なくとも一部の配線幅、及び前記第２の面上における前記第１の配線の少なくとも一部の配線幅よりも広いことを特徴とする半導体装置。
【請求項３】
請求項１又は２に記載の半導体装置において、
前記第１の境界線上における前記第１の配線の厚みは、前記第１の面上における前記第１の配線の少なくとも一部の厚み、及び前記第２の面上における前記第１の配線の少なくとも一部の厚みよりも厚いことを特徴とする半導体装置。
【請求項４】
請求項１〜３のうちいずれか１つに記載の半導体装置において、
前記第１の配線のうち前記第１の境界線上を跨ぐ部分の延伸方向は前記第１の境界線に対して直交しないことを特徴とする半導体装置。
【請求項５】
請求項１〜４のうちいずれか１つに記載の半導体装置において、
前記第１の配線は、前記第１の境界線上で複数本に分岐していることを特徴とする半導体装置。
【請求項６】
請求項１〜５のうちいずれか１つに記載の半導体装置において、
前記第１の基材は第１の半導体チップであり、
前記第２の基材は前記第１の半導体チップの側面から外方に設けられた拡張部材であり、
前記第１の面上及び前記第２の面上には絶縁保護膜が設けられており、
前記第１の配線は、前記絶縁保護膜上に設けられていることを特徴とする半導体装置。
【請求項７】
請求項６に記載の半導体装置において、
前記拡張部材の前記第２の面側には凹部が形成されており、
前記第１の半導体チップは、前記凹部内に配置されていることを特徴とする半導体装置。
【請求項８】
請求項６又は７に記載の半導体装置において、
前記第１の面及び前記第２の面を上に向けた状態で前記第１の半導体チップ及び前記拡張部材が搭載された上面を有する基板と、
回路が形成された第３の面を前記第１の面に対向させた状態で、前記第１の半導体チップの前記第１の面上に搭載された第２の半導体チップと、
前記第１の半導体チップと前記第２の半導体チップとの間に設けられ、前記第１の面上に形成された回路とを電気的に接続する第１の接続部材と、
前記基板の上面上に設けられ、前記拡張部材の側面及び前記第２の面、前記第２の半導体チップの側面及び前記第３の面に対向する面を覆う封止樹脂とをさらに備えていることを特徴とする半導体装置。
【請求項９】
請求項８に記載の半導体装置において、
前記第１の配線のうち前記第２の面上に設けられた部分上に設けられた第１の電極と、
前記基板の上面上に設けられた第２の電極と、
前記第１の電極と前記第２の電極とを接続し、前記封止樹脂に覆われた第２の接続部材とをさらに備えている半導体装置。
【請求項１０】
請求項６〜９のうちいずれか１つに記載の半導体装置において、
前記拡張部材は、封止樹脂体、有機基板、セラミック基板、又はガラス基板であることを特徴とする半導体装置。
【請求項１１】
請求項６〜１０のうちいずれか１つに記載の半導体装置において、
前記第１の半導体チップと前記拡張部材とは、平面視において前記第１の境界線とは異なる方向に延びる第２の境界線を形成しており、
前記第１の面上及び前記第２の面上には、前記第１の面に形成された回路に電気的に接続され、前記第２の境界線を跨ぐ第２の配線が設けられており、
前記第２の境界線上での前記第２の配線の断面積は、前記第２の配線のうち、前記第１の面上に設けられた部分の少なくとも一部の配線幅方向断面の面積、及び前記第２の配線のうち、前記第２の面上に設けられた部分の少なくとも一部の配線幅方向断面の面積よりも大きいことを特徴とする半導体装置。
【請求項１２】
請求項１〜１１のうちいずれか１つに記載の半導体装置において、
前記第１の配線は、前記第１の境界線上に設けられた部分を含む境界領域と、非境界領域とを有し、前記第１の境界線上での前記第１の配線の断面積は、前記第１の面上における前記非境界領域の配線幅方向断面の面積、及び前記第２の面上における前記非境界領域の配線幅方向断面の面積よりも大きいことを特徴とする半導体装置。
【請求項１３】
回路が形成された第１の面を有する第１の基材と、
前記第１の面と同じ方向を向いて前記第１の面に隣接する第２の面を有し、前記第１の基材とは線膨張係数が異なり、前記第１の基材と接する第２の基材と、
前記第１の面上及び前記第２の面上に、平面視における前記第１の基材と前記第２の基材との境界線を跨ぐように設けられ、前記第１の面に形成された回路に電気的に接続された配線とを備え、
前記境界線上における前記配線の厚みは、前記第１の面上における前記配線の少なくとも一部の厚み、又は前記第２の面上における前記配線の少なくとも一部の厚みよりも厚いことを特徴とする半導体装置。
【請求項１４】
回路が形成された第１の面を有する第１の基材と、
前記第１の面と同じ方向を向いて前記第１の面に隣接する第２の面を有し、前記第１の基材とは線膨張係数が異なり、前記第１の基材と接する第２の基材と、
前記第１の面上及び前記第２の面上に、平面視における前記第１の基材と前記第２の基材との境界線を跨ぐように設けられ、前記第１の面に形成された回路に電気的に接続された配線とを備え、
前記配線のうち前記境界線上を跨ぐ部分の延伸方向は前記境界線に対して直交しないことを特徴とする半導体装置。
【請求項１５】
回路が形成された第１の面を有する第１の基材と、
前記第１の面と同じ方向を向いて前記第１の面に隣接する第２の面を有し、前記第１の基材とは線膨張係数が異なり、前記第１の基材と接する第２の基材と、
前記第１の面上及び前記第２の面上に、平面視における前記第１の基材と前記第２の基材との境界線を跨ぐように設けられ、前記第１の面に形成された回路に電気的に接続された配線とを備え、
前記配線は、前記境界線上で複数本に分岐していることを特徴とする半導体装置。
【請求項１６】
請求項１３〜１５のうちいずれか１つに記載の半導体装置において、
前記第１の基材は第１の半導体チップであり、
前記第２の基材は前記第１の半導体チップの側面から外方に設けられた拡張部材であり、
前記第１の面上及び前記第２の面上には絶縁保護膜が設けられており、
前記第１の配線は、前記絶縁保護膜上に設けられていることを特徴とする半導体装置。
【請求項１７】
請求項１６に記載の半導体装置において、
前記第１の面及び前記第２の面を上に向けた状態で前記第１の半導体チップ及び前記拡張部材が搭載された上面を有する基板と、
回路が形成された第３の面を前記第１の面に対向させた状態で、前記第１の半導体チップの前記第１の面上に搭載された第２の半導体チップと、
前記第１の半導体チップと前記第２の半導体チップとの間に設けられ、前記第１の面上に形成された回路とを電気的に接続する接続部材と、
前記基板の上面上に設けられ、前記拡張部材の側面及び前記第２の面、前記第２の半導体チップの側面及び前記第３の面に対向する面、及び前記接続部材を覆う封止樹脂とをさらに備えていることを特徴とする半導体装置。
【発明の詳細な説明】
【技術分野】
【０００１】
本明細書に記載された技術は、基板上の配線及び半導体パッケージに関し、より詳細には、互いに異なる基材上に跨って形成された配線を有する半導体装置に関する。
【背景技術】
【０００２】
半導体パッケージの分野においては、半導体チップ上に形成されるトランジスタの微細化が進行するのに伴って、半導体チップの面積は小さくなり続けている。また、携帯電話等、半導体パッケージを搭載する機器の小型化により、半導体パッケージのさらなる小型化への要求が高まっている。【０００３】
この要求に対し、半導体パッケージの大きさを小さく保ったままプリント基板上に実装することができるウェハレベルパッケージ（wafer level package;ＷＬＰ）あるいはウェハレベルチップサイズパッケージ（wafer level chip size package;ＷＬ−ＣＳＰ）が開発されている。ＷＬＰはウェハ状態で半導体チップ上にいわゆる再配線層を設け、当該再配線層の電極上にはんだボールを搭載した後、個片化することで作製される半導体パッケージである。ＷＬＰによれば、半導体パッケージのサイズを半導体チップとほぼ同サイズにすることができる。【０００４】
しかしながら、半導体チップに求められる機能の高度化に伴い、半導体パッケージに搭載される入出力端子数が増大し、小面積のＷＬＰでは端子を全て搭載できないという不具合が発生している。【０００５】
この不具合に対し、ファンアウトＷＬＰ（fan out ＷＬＰ）が提案されている。このファンアウトＷＬＰは、半導体チップの周辺にエポキシ樹脂等の材料で拡張部分を設け、半導体チップ上の電極から拡張部分に再配線を施し、拡張部分にもはんだボールを搭載することで必要な端子数を確保した半導体パッケージである。【０００６】
ファンアウトＷＬＰにおいては、半導体チップの主面とエポキシ樹脂体の主面とが形成する境界線を跨ぐように配線が設置される。これ以外にも、半導体チップをガラスエポキシ樹脂基板に形成された凹部に埋め込んだタイプの半導体パッケージでは、半導体チップの主面とプリント基板の主面との境界線を跨ぐように配線が設置される。【０００７】
互いに異なる２つの基材に跨って設けられた配線を有するパッケージが、特許文献１に記載されている。【０００８】
図１０は、特許文献１に記載された、従来の半導体装置の構成を示す斜視図である。同図に示すように、従来の半導体装置は、回路基板１０１上に半導体チップ１０６がフリップチップ接合されることで形成される。【０００９】
回路基板１０１の一面には回路部１０３が形成され、半導体チップ１０６の一面にはチップ接合部１０７が設置されている。回路基板１０１の一面上には回路部１０３と電気的に接続された配線１０２、１０４ａ及び接合配線部１０４が設けられている。接合配線部１０４は低誘電体材料１０５上に設けられる。【００１０】
半導体チップ１０６は、回路基板１０１の回路部１０３が形成された面と半導体チップ１０６の回路形成面とが対向するように回路基板１０１上に接合される。この際、接合配線部１０４とチップ接合部１０７とが重なるように半導体チップ１０６を回路基板１０１上に搭載する。
【先行技術文献】
【特許文献】
【００１１】
【特許文献１】特開２０００−１８３２３１号公報
【発明の概要】
【発明が解決しようとする課題】
【００１２】
半導体パッケージ、あるいは配線が施された基板が実際の製品として使用される場合、加熱及び冷却によって繰り返し温度変化を受ける。半導体装置を構成する各材料は、熱に対して固有の線膨張係数（ＣＴＥ）を有する。ここで、線膨張係数とは、単位温度あたりの長さ方向の膨張量のことを意味する。【００１３】
半導体装置に温度変化が生じた場合、ＣＴＥが異なる材料（例えば図１０に示す回路基板１０１と低誘電体材料１０５）では膨張、収縮する量が異なるので、ＣＴＥが異なる材料同士が接する境界面において歪みが発生する。このため、ＣＴＥが相異なる材料で構成された基材上に、両者の境界を跨いで配線が設けられる場合、温度変化を受けると、境界面に生じた歪みによって配線部に応力が発生する。そして、半導体装置が繰り返し温度変化を受けることで配線に歪みが蓄積され、最終的には当該配線が破断するおそれが生じる。【００１４】
本発明は、互いに異なる基材上に両者の境界を跨いで配線を形成する場合に、配線が破断する可能性を低減することを目的とする。
【課題を解決するための手段】
【００１５】
前記課題を解決するため、本発明に係る半導体装置においては、互いに線膨張係数（ＣＴＥ）が異なる基材上に跨って形成された配線のうち、両基材の境界部分上に設けられた部分の断面積を大きくし、基材の境界領域上に生じる歪みに対する配線の強度を向上させている。【００１６】
すなわち、本発明の一例に係る半導体装置は、回路が形成された第１の面を有する第１の基材と、前記第１の面と同じ方向を向いて前記第１の面に隣接する第２の面を有し、前記第１の基材とはＣＴＥが異なり、前記第１の基材と接する第２の基材と、前記第１の面上及び前記第２の面上に、平面視における前記第１の基材と前記第２の基材との第１の境界線を跨ぐように設けられ、前記第１の面に形成された回路に接続された第１の配線とを備えている。さらに、前記第１の境界線上での前記第１の配線の断面積は、前記第１の配線のうち、前記第１の面上に設けられた部分の少なくとも一部の配線幅方向断面の面積、又は前記第１の配線のうち、前記第２の面上に設けられた部分の少なくとも一部の配線幅方向断面の面積よりも大きい。【００１７】
ここで、「第１の面と第２の面とが同じ方向を向いている」、とは、基材の熱膨張や製造時のバラツキ等によって生じる誤差を含むものとする。また、第１の面と第２の面とは配線形成に支障が生じない程度の段差をもって隣接していてもよい。【００１８】
以上の構成によれば、第１の配線のうち境界領域上に設けられた部分の断面積を大きくして配線の強度を上げているので、温度変化によって第１の基材と第２の基材との接触部分のずれや歪みが生じても、配線が断線するおそれを小さくすることができる。このため、半導体装置の信頼性がより向上している。【００１９】
なお、この配線構成は、いわゆるファンアウトＷＬＰや、当該ファンアウトＷＬＰを用いた半導体パッケージにも適用でき、これらの半導体装置の信頼性の向上に大きく寄与する。ファンアウトＷＬＰに適用される場合、第１の基材は半導体チップ、第２の基材は拡張部材、第１の配線は、いわゆる再配線となる。
【発明の効果】
【００２０】
本発明の一例に係る半導体装置によれば、互いに異なる基材上に、両者の境界を跨いで形成された配線において破断等のおそれを低減することができる。
【図面の簡単な説明】
【００２１】
【図１】図１は、本発明の実施形態に係る半導体装置の一例を示す平面図である。
【図２】図２（ａ）は、図１に示すIIa-IIa線における本実施形態の半導体装置の断面図であり、図２（ｂ）は、図１に示すIIb-IIb線における当該半導体装置の断面図である。
【図３】図３は、本発明の実施形態に係る半導体装置の他の一例を示す平面図である。
【図４】図４は、図１に示す半導体装置の変形例を示す断面図である。
【図５】図５は、本発明の実施形態の第１の応用例に係る半導体装置を示す平面図である。
【図６】図６は、図５に示す第１の応用例に係る半導体装置の変形例を示す断面図である。
【図７】図７は、本発明の実施形態の第２の応用例に係る半導体装置を示す平面図である。
【図８】図８（ａ）は、本発明の実施形態の第３の応用例に係る半導体装置を示す平面図である。図８（ｂ）は、本応用例に係る半導体装置のＡ部を拡大して示す断面図であり、図８（ｃ）は、当該Ａ部を拡大して示す平面図である。
【図９】図９（ａ）は、本発明の実施形態の第４の応用例に係る半導体装置を示す平面図である。図９（ｂ）は、本応用例に係る半導体装置のＡ部を拡大して示す断面図であり、図９（ｃ）は、当該Ａ部を拡大して示す平面図である。
【図１０】図１０は、従来の半導体装置の構成を示す斜視図である。
【発明を実施するための形態】
【００２２】
（実施形態）
以下、本発明の実施形態を図を用いて説明する。図１は、本発明の実施形態に係る半導体装置を示す平面図である。また、図２（ａ）は、図１に示すIIa-IIa線における本実施形態の半導体装置の断面図であり、図２（ｂ）は、図１に示すIIb-IIb線における当該半導体装置の断面図である。
【００２３】
本実施形態の半導体装置は、図１に示すように、基材１と、基材１の一方の主面１９と同じ方向を向いて当該主面１９に隣接する主面２０を有し、基材１と接する基材２と、基材１の主面１９上及び基材２の主面２０上に、平面視における基材１と基材２との境界線２８を跨ぐようにそれぞれ設けられた配線３１、３２、３３とを備えている。なお、ここでの境界線２８は、主面１９と主面２０との境界線となっている。
【００２４】
基材１と基材２とは、互いに線膨張係数（ＣＴＥ）が異なる材料で構成されている。基材１、２は、それぞれシリコン（Ｓｉ）等で構成された半導体チップ、ＦＲ４、ＦＲ５、ＢＴレジン等で構成されたエポキシ系樹脂基板であってもよい。また、基材１、２は、エポキシ系封止樹脂、セラミック、ガラス、銅もしくは金等の金属や、これらのめっきを施した固体材料、合金などで構成されていてもよく、ＣＴＥが互いに異なる固体であれば構成材料は問わない。ただし、基材１、２の形状は板状であってもよい。また、主面１９と主面２０とは面一であってもよいし、直接あるいは絶縁保護膜を介して配線が形成できる範囲内で両主面間に段差があってもよい。
【００２５】
また、基材１、２の少なくとも一方には配線３１、３２、３３に電気的に接続された回路（図示せず）が形成されていてもよい。当該回路は主面１９上又は主面２０上に形成されていてもよい。
【００２６】
配線３１、３２、３３はそれぞれ銅やアルミニウム等からなる金属配線である。基材１、２が絶縁体で構成されている場合には基材１、２上に配線３１、３２、３３を直接設けてもよい。しかし、少なくとも基材１、２が導電体又は半導体で構成されている場合、図２（ａ）、（ｂ）に示すように、配線３１、３２、３３は、基材１、２上に絶縁保護膜４を挟んで設けられる。なお、図１では、基材１と基材２との境界線を明示するために絶縁保護膜４の図示を省略している。
【００２７】
本実施形態の半導体装置では、図１及び図２（ａ）、（ｂ）に示すように、配線３１の境界線２８上での断面積は、配線３１のうち主面１９上に設けられた部分の少なくとも一部の配線幅方向断面の面積、及び（又は）配線３１のうち主面２０上に設けられた部分の少なくとも一部の配線幅方向断面の面積よりも大きくなっている。
【００２８】
配線３２、３３についても同様に、境界線２８上での各配線の断面積は、配線３２、３３のうち主面１９上に設けられた部分の少なくとも一部の配線幅方向断面の面積、及び（又は）配線３２、３３のうち主面２０上に設けられた部分の少なくとも一部の配線幅方向断面の面積よりも大きくなっている。
【００２９】
具体的には、境界線２８を含む境界領域８上における配線３１（すなわち配線拡幅部３１ａ）の配線幅は、非境界領域９、１０上における配線３１の配線幅よりも広くなっている。ここで、境界領域８とは、主面１９、２０のうち境界線２８の近傍にある領域を指し、非境界領域９、１０とは、主面１９、２０のうち、境界領域８以外の、境界線２８から離れた領域をそれぞれ指すものとする。境界領域８の範囲は半導体装置の設計によって任意に設定される。
【００３０】
また、配線３２のうち、境界線２８を含む境界領域８上における部分３２ａの延伸方向は、境界線２８に対して直交していない。図１に示す例では、部分３２ａは非境界領域９、１０上における配線３２の延伸方向に対して斜行している。
【００３１】
また、配線３３は、境界線２８を含む境界領域８上で複数本（図１では２本）に分岐する。このため、分岐部分３３ａの境界線２８上における断面の面積と分岐部分３３ｂの境界線２８上における断面の面積との和は、非境界領域９、１０上における配線３３の配線幅方向断面の面積よりも大きくなっている。
【００３２】
本実施形態の半導体装置を作製するには、まず基材１と基材２とを接合させる。この際に、一方の基材がエポキシ等の樹脂材料で構成されている場合には、樹脂の硬化により両基材が接合される。また、基材がシリコンやセラミック、あるいは銅等の金属で構成される場合は、接着剤を用いて接合してもよいし、一方の基材に凹部を設け、当該凹部内に他方の基材を埋め込んでもよい。あるいは、両基材の裏面をテープで固定した状態で基材１の主面１９及び基材２の主面２０にポリイミド製の保護膜を塗布することで、両基材を接合することもできる。
【００３３】
次に、必要に応じて主面１９上及び主面２０上に電極を形成する。次いで、スピンコート等により基材１、２の主面１９、２０上に絶縁保護膜４を形成する。この絶縁保護膜４の厚さは特に限定されないが、ここでは一例として５μｍ程度とする。続いて、エッチングにより絶縁保護膜４の一部を除去することで、基材１の主面１９上、及び基材２の主面２０上に設けられた電極（図示せず）上に開口を設ける。次いで、サブトラクト法やアディティブ法等によって、上述の形状の配線３１、３２、３３を形成する。以上のようにして、本実施形態の半導体装置が作製できる。
【００３４】
この方法によれば、配線形成時に用いるマスク等の形状を変えるだけで、従来の半導体装置に比べて工程数を増やすことなく本実施形態の半導体装置を製造することができる。
【００３５】
本実施形態の半導体装置においては、上述のように、配線３１、３２、３３の境界線２８上での断面積が、非境界領域９、１０上での配線幅方向断面の断面積よりもそれぞれ大きくなっている。そのため、温度変化があった場合、基材１と基材２との境界面でずれや歪みが生じても、各配線は断線しにくくなっている。
【００３６】
これに対し、図１０に示す従来の半導体装置では、回路基板１０１の上面と低誘電体材料１０５の上面との境界線上における、配線１０４ａと接合部配線１０４との接続部分の断面積は、接合部配線１０４の断面積よりも小さくなっている。また、回路基板１０１上の配線１０４ａの配線幅は、低誘電体材料１０５上の接合部配線１０４の配線幅方向の幅よりも小さくなっている。このため、従来の半導体装置においては、回路基板１０１の上面と低誘電体材料１０５の上面との境界線上において、配線１０４ａは温度変化による歪み等応力を受けやすくなっている。
【００３７】
このように、本実施形態の半導体装置では、従来の半導体装置に比べて配線のうち境界領域上に設けられた部分の断面積を大きくして配線の強度を上げているので、温度変化が繰り返し生じた場合であっても断線のおそれが小さくなり、信頼性がより向上している。
【００３８】
特に、配線３１では、境界領域８上に配線拡幅部３１ａが設けられているので、境界領域８上における配線３１の強度が大幅に向上している。
【００３９】
また、配線３２では、主面１９と主面２０との境界領域８上における配線の強度を高めつつ、配線全体を通して配線幅が変わらないので、配線密度の低下を防ぐことができる。
【００４０】
また、配線３３は、境界領域８上で複数の分岐部分３３ａ、３３ｂに分岐するので、境界線２８上における断面積を大きくして配線強度を向上できる。さらに、分岐部分３３ａ、３３ｂのうちいずれか１つが断線しても残りの分岐部分が導通しているので、配線３３では故障が生じにくくなっている。
【００４１】
なお、境界領域８上における配線の平面形状は、配線３１、３２、３３の形状に限られない。例えば、配線拡幅部３１ａのコーナー部を平面的に見て丸めた形状にしてもよいし、配線３２の斜行する部分３２ａの配線幅を他の部分よりも大きくしてもよい。あるいは、配線３３の分岐部分３３ａ、３３ｂに斜行部分を設けてもよい。
【００４２】
また、基材１、２上には、一又は複数本の配線３１、３２、３３の全てが設けられていてもよいし、配線３１、３２、３３のうちの１つ又は２つのみが設けられていてもよい。
【００４３】
図３は、本発明の実施形態に係る半導体装置の他の一例を示す平面図である。
【００４４】
基材１、２上に設けられる配線は、図３に示す配線４４のように、基材１と基材２との境界線２８上において、配線幅方向の一方にのみ幅が拡張された形状であってもよい。また、配線４６のように、境界線２８上での配線の断面積が、当該配線のうち少なくとも一方の基材上に設けられた部分の少なくとも一部の配線幅方向断面の面積よりも大きくなっていてもよい。すなわち、境界線２８上での配線の断面積が、当該配線のうち一方の基材上に設けられた部分の少なくとも一部の配線幅方向断面の面積よりも大きければよい。この際、配線４８のように、他方の基材上で境界線２８から離れるに従って配線幅が放射状に拡がっていてもよい。
【００４５】
−半導体装置の変形例−
図４は、本発明の実施形態に係る半導体装置の変形例を示す断面図である。同図では、配線３４を通り、且つ配線３４の延伸方向に平行な方向における断面を示している。
【００４６】
本変形例に係る半導体装置においても、図１に示す半導体装置と同様に、配線３４の、主面１９と主面２０との境界線上における断面の面積は、配線３４のうち非境界領域９、１０の少なくとも一部上に設けられた部分の配線幅方向断面よりも大きくなっている。
【００４７】
ただし、図４に示す配線３４は、主面１９、２０のうちの境界領域８上に設けられ、他の部分より厚みが厚い配線肉厚部３４ａを有している点で図１に示す配線３１、３２、３３と異なっている。本変形例に係る半導体装置における配線の形状以外の構成は、図１に示す半導体装置と同様である。
【００４８】
本変形例に係る半導体装置を作製するには、基材１と基材２とを接合させた後、スピンコート等により基材１、２の主面１９、２０上に絶縁保護膜４を形成する。次いで、絶縁保護膜４上に公知の方法により、金属からなる配線３４を形成する。配線肉厚部３４ａは、例えば、厚い配線を形成した後、当該配線のうち配線肉厚部３４ａとなる部分をシルクスクリーン印刷やフォトレジスト等の手法でマスクし、配線肉厚部３４ａ以外の部分をエッチングして形成することで形成される。あるいは、配線のうち配線肉厚部３４ａとなる部分以外の部分上にめっきレジストを形成し、この状態で当該配線上にめっきを成長させることで、配線肉厚部３４ａを形成することもできる。これにより、本変形例に係る半導体装置を作製できる。
【００４９】
本変形例に係る半導体装置のように、基材１の主面１９と基材２の主面２０との境界線上での配線３４の厚みが非境界領域９、１０での配線３４の厚みより厚くしても、境界線上での断面積を大きくすることができるので、配線３４の強度を向上させ、断線発生の可能性を低減することができる。また、境界領域８上での配線肉厚部３４ａの配線幅を、非境界領域９、１０上での配線３４の配線幅と同じにすれば、配線密度の低下を防ぐことができる。
【００５０】
なお、図１に示す配線３１の配線拡幅部３１ａ、配線３２の斜行する部分３２ａ、配線３３の分岐部分３３ａ、３３ｂのそれぞれの厚みを、各配線の非境界領域９、１０の少なくとも一部上に設けられた部分の厚みよりも厚くすることで、各配線の境界線２８での断面積をさらに大きくすることができる。この構成によれば、配線の強度をより向上させることができる。このような配線構成は、特に基材１と基材２との線膨張係数差が大きい場合には、特に有効である。
【００５１】
なお、図３に示す配線４４、４６、４８においても、境界線２８上での厚みを非境界領域での厚みより厚くすることでこれらの配線が断線する可能性を低減することができる。
【００５２】
−第１の応用例に係る半導体装置の説明−
図１、図２（ａ）、（ｂ）を用いて説明した構成を、ファンアウトＷＬＰタイプの半導体装置に適用した第１の応用例について以下説明する。
【００５３】
図５は、本発明の実施形態の第１の応用例に係る半導体装置を示す平面図である。同図では、理解しやすいように絶縁保護膜は図示していない。
【００５４】
図５に示すように、この応用例に係る半導体装置は、一方の主面４９側に凹部４０が設けられた拡張部材２１と、主面４９と実質的に同じ方向を向いて主面４９と隣接する主面５０を有し、凹部４０内に配置された半導体チップ１１と、主面４９上及び主面５０上に設けられた第１の絶縁保護膜と、主面５０上に設けられ、第１の絶縁保護膜を貫通するチップ電極５１、５２、５３と、主面４９と主面５０との各境界線を跨いで主面５０上から主面４９上へと延伸する再配線３５、３６、３７と、第１の絶縁保護膜上及び再配線３５、３６、３７上に設けられた第２の絶縁保護膜と、第２の絶縁保護膜を貫通する電極（図示せず）と、電極を介して再配線３５、３６、３７にそれぞれ接続された電極６１、６２、６３とを備えている。
【００５５】
再配線３５、３６、３７は、それぞれチップ電極５１、５２、５３を介して半導体チップ１１の主面５０上に設けられた回路（図示せず）に電気的に接続されている。
【００５６】
本応用例に係る半導体装置と図１に示す半導体装置とを比較すると、半導体チップ１１は基材１、２の一方に相当し、拡張部材２１は基材１、２の他方に相当し、再配線３５、３６、３７は、それぞれ配線３１、３２、３３に相当している。
【００５７】
すなわち、再配線３５は、配線３１と同様に、半導体チップ１１と拡張部材２１の主面同士の境界領域上に配線幅が広い配線拡幅部３５ａを有している。再配線３６は、配線３２と同様に、半導体チップ１１と拡張部材２１の主面同士の境界領域上に斜行する部分３６ａを有している。再配線３７は、配線３３と同様に、半導体チップ１１と拡張部材２１の主面同士の境界領域上に分岐部分３７ａ、３７ｂを有している。
【００５８】
また、本応用例に係る半導体装置において、拡張部材２１の主面４９は、平面視において半導体チップ１１の主面５０を囲んでいる。
【００５９】
拡張部材２１の構成材料としては、例えばエポキシ樹脂からなる封止樹脂が用いられるが、エポキシ樹脂に限定されることはなく、セラミック、ガラス等で構成されていてもよい。また、拡張部材２１は、有機基板であってもよい。
【００６０】
本応用例に係る半導体装置を作製するためには、まず、半導体チップ１１の主面５０を露出させた状態で、半導体チップ１１の側面から（半導体チップ１１の）外方に拡張部材２１を形成する。この際には、主面５０を下に向けた状態で半導体チップ１１全体を金型で覆い、当該金型の空間部分に封止樹脂を注入することで拡張部材２１を形成できる。この結果として、拡張部材２１の凹部４０内に半導体チップ１１配置された形状となる。
【００６１】
次いで、半導体チップ１１上にチップ電極５１、５２、５３を形成する。その後、半導体チップ１１の主面５０上及び拡張部材２１の主面４９上に、スピンコート等により第１の絶縁保護膜を形成する。
【００６２】
次に、絶縁保護膜のうちチップ電極５１、５２、５３を覆う部分をエッチングにより除去し、チップ電極５１、５２、５３を露出させる。次に、サブトラクト法やアディティブ法により、第１の絶縁保護膜の上面に任意の形状に金属からなる再配線３５、３６、３７を形成する。その後、再配線３５、３６、３７のうち拡張部材２１の主面４９上に設けられた部分上に、電極６１、６２、６３をそれぞれ形成する。次に、第２の絶縁保護膜を電極６１、６２、６３上及び第１の絶縁保護膜上に形成した後、第２の絶縁保護膜のうち電極６１、６２、６３を覆う部分を除去して電極６１、６２、６３を露出させる。次いで、電極６１、６２、６３上に適宜バンプ（図示せず）を形成する。
【００６３】
本応用例に係る半導体装置では、図１に示す半導体装置と同様に、主面４９と主面５０との境界線上における再配線３５、３６、３７の断面積が、境界線から離れた領域での各配線の配線幅方向断面の断面積よりも大きくなっている。このため、温度変化があった場合に、半導体チップ１１のＣＴＥと拡張部材２１のＣＴＥが異なることで発生する歪みやずれに対する各配線の強度を向上させることができる。従って、本応用例に係るファンアウトＷＬＰタイプの半導体装置では、従来の半導体装置に比べて信頼性が大きく向上している。
【００６４】
なお、再配線３７では、分岐部分３７ａ、３７ｂを有することにより、歪みに対する強度が向上できる上、分岐部分３７ａ、３７ｂのいずれか一本が断線しても、残りの分岐部分が導通していれば故障とならない。
【００６５】
なお、図５に示す第１の応用例に係る半導体装置において、再配線３８の形状を、図３に示す配線４４、４６、４８と同様の形状としてもよい。
【００６６】
また、図６は、図５に示す第１の応用例に係る半導体装置の変形例を示す断面図である。同図では、図５と同様の部材については同じ符号を付している。
【００６７】
本変形例の半導体装置において、再配線３８は、半導体チップ１１上に設けられたチップ電極５４と、外部部材に接続するための電極６４とを接続している。この電極６４は、第１の絶縁保護膜４１上に設けられた第２の絶縁保護膜４２を貫通している。電極６４上にははんだボール等からなるバンプ７１が設けられている。
【００６８】
図６に示すように、本変形例に係る半導体装置では、再配線３８が、主面４９と主面５０との境界線を含む境界領域上において、他の部分よりも厚い配線肉厚部３８ａを有している点が、図５に示す半導体装置と異なっている。
【００６９】
本変形例に係る半導体装置を作製するには、まず、図５に示す半導体装置の製造方法と同様にして半導体チップ１１の主面５０上及び拡張部材２１の主面４９上に第１の絶縁保護膜４１を形成した後、主面５０上にチップ電極５４を形成する。チップ電極５４は、例えば半導体チップ１１内の周辺領域に形成されてもよい。
【００７０】
次に、配線肉厚部３８ａを有する再配線３８を第１の絶縁保護膜４１上に形成する。この配線肉厚部３８ａは、例えば、配線全体を厚く形成した後、再配線のうち配線肉厚部３８ａとなる部分をシルクスクリーン印刷やフォトレジスト等の手法でマスクし、配線肉厚部３８ａ以外の部分をエッチングして厚みを薄くすることで形成できる。あるいは、再配線を形成した後、当該再配線のうち配線肉厚部３８ａとなる部分以外の部分上にめっきレジストを形成し、この状態で当該配線上にめっきを成長させることで、配線肉厚部３８ａを形成することもできる。
【００７１】
その後、再配線３８のうち拡張部材２１の主面４９上に設けられた部分上に、電極６４を形成する。電極６４は、外部部材との電気的導通を取るための電極である。次に、電極６４上及び第１の絶縁保護膜４１上に第２の絶縁保護膜４２を形成する。次いで、第２の絶縁保護膜４２のうち電極６４を覆う部分をエッチングにより除去することで、電極６４を露出させる。次に、露出した電極６４上にＵＢＭ（under barrier metal）等の金属層を形成し、はんだボール等からなるバンプ７１を形成することで、ファンアウトＷＬＰタイプの本変形例に係る半導体装置が形成できる。
【００７２】
本変形例に係る半導体装置のように、主面４９と主面５０との境界線上で再配線３８の厚みを厚くすることによっても、当該境界線上での再配線３８（配線肉厚部３８ａ）の断面積を、境界線から離れた領域での再配線３８の配線幅方向の断面積よりも大きくすることができる。このため、再配線３８の強度を向上させることができ、断線の可能性を低減することができる。
【００７３】
また、再配線３８と同様に、図５に示す再配線３５の配線拡幅部３５ａ、再配線３６の斜行する部分３６ａ、及び再配線３７の分岐部分３７ａ、３７ｂの厚みを他の部分の厚みよりも厚くすることで、再配線３５、３６、３７の強度をより向上させることができる。従って、半導体チップ１１の線膨張係数と拡張部材２１の線膨張係数との差が大きい場合でも、再配線の断線を効果的に低減することができる。
【００７４】
なお、図６では、拡張部材２１の主面４９と半導体チップ１１の主面５０とが面一である例を示しているが、これに限られず、主面４９と主面５０との間の段差が第１の絶縁保護膜４１の厚み（１０μｍ以下）の範囲内であれば、再配線３８を形成することができる。この場合、第１の絶縁保護膜４１を厚めに形成することで、主面４９と主面５０との間に段差があっても第１の絶縁保護膜４１の上面を再配線３８が形成できる程度に平坦にすることができる。なお、主面４９と主面５０との間に段差がある場合、上述の説明において「主面４９と主面５０との境界線」とあるのは、「平面視における主面４９と主面５０との境界線」とする。
【００７５】
−第２の応用例に係る半導体装置の説明−
図７は、本発明の実施形態の第２の応用例に係る半導体装置を示す平面図である。本応用例に係る半導体装置は、図５又は図６に示すファンアウトＷＬＰを用いたＳｉＰ（system in package)である。なお、図７に示す再配線３９のうち少なくとも一本は、配線肉厚部３９ａを有している再配線であってもよいし、図５に示す再配線３５、３６、３７のいずれかと同様に、配線拡幅部、斜行部分、分岐部分を有する形状の再配線であってもよい。また、半導体チップ１１上の回路と再配線３９とを電気的に接続させるチップ電極は図示していない。
【００７６】
図７に示すように、本応用例に係る半導体装置は、図５又は図６に示すファンアウトＷＬＰと、ファンアウトＷＬＰ内の半導体チップ１１の主面（回路形成面）上に、回路形成面を半導体チップ１１側に向けた状態でフリップチップ接合された半導体チップ１２と、ファンアウトＷＬＰを接着剤８３を挟んで上面上に搭載する基板８１と、ファンアウトＷＬＰの電極６５と基板８１上に設けられたランド８２とを接続するワイヤ（接続部材）９１と、封止樹脂２２とを備えている。
【００７７】
なお、図７に示すファンアウトＷＬＰでは、再配線３９上に設けられた電極６５上にバンプは形成されていない。また、半導体チップ１１の回路形成面上には電極５５が形成されており、はんだボール等からなるバンプ７１ａが半導体チップ１１上の回路と半導体チップ１２上の回路とを電気的に接続している。
【００７８】
また、封止樹脂２２は、基板８１の上面上に設けられ、拡張部材２１の側面及び再配線３９が形成された主面、半導体チップ１２の面のうち回路形成面に対向する面、及びワイヤ９１を覆っている。第２の絶縁保護膜４２と半導体チップ１２との間はアンダーフィル材８６が設けられている。
【００７９】
本応用例に係る半導体装置を作製するには、まず、図６に示す半導体装置と同様の方法でファンアウトＷＬＰを形成する。ここで、半導体チップ１１上に形成された電極５５を露出するために、第１の絶縁保護膜４１及び第２の絶縁保護膜４２の一部をあらかじめエッチング等により除去しておく。その後、互いの回路形成面同士が向き合うように半導体チップ１１上に半導体チップ１２をフリップチップ接合する。
【００８０】
次に、ファンアウトＷＬＰと半導体チップ１２を、互いに回路実装面を向き合った形でフリップチップ接合させる。半導体チップ１２上にはバンプ７１ａがあらかじめ形成されている。そのため、半導体チップ１１上の電極５５とバンプ７１ａの位置を合わせ、加熱しながら圧着することにより、半導体チップ１１と半導体チップ１２とを電気的に接合させることができる。バンプ７１ａは、はんだの他、金などで構成されていてもよく、金属ポスト等であってもよい。
【００８１】
次に、半導体チップ１２とフリップチップ接合されたファンアウトＷＬＰは、接着剤８３により基板８１上に接着される。次に、基板８１の上面上に設けられたランド８２と、ファンアウトＷＬＰの表面に設けられた電極６５とをワイヤ９１により接続することで、ランド８２を半導体チップ１１上の回路に電気的に接続させる。
【００８２】
次に、ファンアウトＷＬＰ、半導体チップ１２、ワイヤ９１は金型内で封止樹脂２２により封止される。次いで、基板８１の裏面にはんだボール、あるいは電極を設置することで、本応用例に係る半導体装置は、ＢＧＡ（ball grid array）あるいはＬＧＡ（land grid array）タイプの半導体パッケージとなる。
【００８３】
このように、図５又は図６に示す信頼性の高いファンアウトＷＬＰを用いることで、同じく信頼性の高い半導体パッケージを作製することができる。
【００８４】
なお、異なる基材同士の境界部分上での断面積を非境界領域上での断面積よりも大きくした配線を用いれば、上で述べた半導体パッケージに限らず、ファンアウトＷＬＰを具備する種々の半導体装置において、高い信頼性を得ることができる。
【００８５】
−第３の応用例に係る半導体装置の説明−
図８（ａ）は、本発明の実施形態の第３の応用例に係る半導体装置を示す平面図である。また、図８（ｂ）は、本応用例に係る半導体装置のＡ部を拡大して示す断面図であり、図８（ｃ）は、当該Ａ部を拡大して示す平面図である。図８（ａ）、（ｂ）で第２の絶縁保護膜４２と半導体チップ１２との間に示すのは、アンダーフィル材８６である。また、図８（ｃ）において、再配線３９のうち半導体チップ１２の下に設けられた部分は破線で示している。
【００８６】
図８（ａ）〜（ｃ）に示すように、第３の応用例に係る半導体装置は、図７に示す第２の応用例に係る半導体装置において、半導体チップ１１の平面面積を半導体チップ１２の平面面積よりも大きくしたものである。
【００８７】
本応用例に係る半導体装置の再配線３９において、半導体チップ１１の線膨張係数と拡張部材２１の線膨張係数との差が大きい場合には、上述のように半導体チップ１１と拡張部材２１の界面上で最も応力が集中する。また、再配線３９のうち、半導体チップ１２と封止樹脂２２との線膨張係数の違いによって、上側の半導体チップ１２の端面直下に位置する部分にも応力が集中しやすくなっている。
【００８８】
このため、本応用例に係る半導体装置では、少なくとも半導体チップ１１と拡張部材２１の界面上での再配線３９の断面積を他の部分での幅方向断面の面積よりも大きくして断線の発生を効果的に抑えている。
【００８９】
さらに、図８（ｃ）に示すように、再配線３９のうち半導体チップ１１と拡張部材２１との境界面上の領域から半導体チップ１２の端面直下の領域に至る部分の配線幅方向の断面積を他の部分の配線幅方向の断面積よりも大きくしてもよい。再配線３９の断面積を大きくするためには、上述の配線肉厚部３９ａを形成したり、配線幅を太くする等の構成をとることができる。また、再配線３９のうち半導体チップ１１と拡張部材２１との境界面上を含む所定の部分の配線幅方向断面積と半導体チップ１２の端面直下を含む所定の部分の配線幅方向断面積を、それぞれを応力が集中しない他の部分の配線幅方向断面積よりも大きくしてもよい。
【００９０】
このように、再配線３９の複数箇所に応力が集中する場合、応力が集中する部分の配線幅や厚みを他の部分よりも大きくすることで、製造工程を増やすことなく低コストで、再配線の破断や破損をさらに効果的に抑えることが可能となる。
【００９１】
−第４の応用例に係る半導体装置の説明−
図９（ａ）は、本発明の実施形態の第４の応用例に係る半導体装置を示す平面図である。また、図９（ｂ）は、本応用例に係る半導体装置のＡ部を拡大して示す断面図であり、図９（ｃ）は、当該Ａ部を拡大して示す平面図である。
【００９２】
図９（ａ）〜（ｃ）に示すように、第４の応用例に係る半導体装置は、図７に示す第２の応用例に係る半導体装置において、半導体チップ１１の平面面積を半導体チップ１２の平面面積よりも小さくしたものである。図９（ｃ）において、再配線３９のうち半導体チップ１２の下に設けられた部分、及び半導体チップ１１は、破線で示している。
【００９３】
本応用例に係る半導体装置の再配線３９において、半導体チップ１１の線膨張係数と拡張部材２１の線膨張係数との差が大きい場合には、上述のように半導体チップ１１と拡張部材２１の界面上で最も応力が集中する。また、再配線３９のうち、半導体チップ１２と封止樹脂２２との線膨張係数の違いによって、上側の半導体チップ１２の端面直下に位置する部分にも応力が集中しやすくなっている。
【００９４】
このため、本応用例に係る半導体装置では、少なくとも半導体チップ１１と拡張部材２１の界面上での再配線３９の断面積を他の部分での幅方向断面の面積よりも大きくして断線の発生を効果的に抑えている。
【００９５】
さらに、図９（ｃ）に示すように、再配線３９のうち半導体チップ１１と拡張部材２１との境界面上の領域から半導体チップ１２の端面直下の領域に至る部分の配線幅方向の断面積を他の部分の配線幅方向の断面積よりも大きくしてもよい。再配線３９の断面積を大きくするためには、上述の配線肉厚部３９ａを形成したり、配線幅を太くする等の構成をとることができる。また、再配線３９のうち半導体チップ１１と拡張部材２１との境界面上を含む所定の部分の配線幅方向断面積と半導体チップ１２の端面直下を含む所定の部分の配線幅方向断面積を、それぞれを応力が集中しない他の部分の配線幅方向断面積よりも大きくしてもよい。
【００９６】
このように、半導体チップ１１と半導体チップ１２とで平面サイズが異なる場合など、再配線３９の複数箇所に応力が集中する場合、応力が集中する部分の配線幅や厚みを他の部分よりも大きくすることで、製造工程を増やすことなく低コストで、再配線の破断や破損をさらに効果的に抑えることが可能となる。
【００９７】
なお、本発明は、以上で説明した実施形態並びにその変形例及び応用例に限定されず、本発明の趣旨を逸脱しない範囲でこれらの半導体装置の構成を変更したものも含む。
【産業上の利用可能性】
【００９８】
本発明は、線膨張係数が互いに異なる２つの基材上に当該基材同士の境界を跨いで延伸する配線を有する装置に適用することができる。例えば、本発明は、ファンアウトＷＬＰを備えたＳｉＰや、ＳｉＰを搭載した種々の電子機器に有用である。
【符号の説明】
【００９９】
１、２  基材
４      絶縁保護膜
８      境界領域
９、１０      非境界領域
１１、１２      半導体チップ
１９      （基材１の）主面
２０      （基材２の）主面
２１      拡張部材
２２      封止樹脂
２８      境界線
３１、３２、３３、３４、４４、４６、４８      配線
３１ａ、３５ａ    配線拡幅部
３２ａ、３６ａ    部分
３３ａ、３３ｂ、３７ａ、３７ｂ  分岐部分
３４ａ、３８ａ、３９ａ    配線肉厚部
３５、３６、３７、３８、３９      再配線
４０      凹部
４１      第１の絶縁保護膜
４２      第２の絶縁保護膜
４９      （拡張部材２１の）主面
５０      （半導体チップ１１の）主面
５１、５２、５３、５４      チップ電極
５５      電極
６１、６２、６３      電極
６４、６５      電極
７１、７１ａ      バンプ
８１      基板
８２      ランド
８３      接着剤
８６      アンダーフィル材
９１      ワイヤ
【図１】
2013057867.tif 000003
【図２】
2013057867.tif 000004
【図３】
2013057867.tif 000005
【図４】
2013057867.tif 000006
【図５】
2013057867.tif 000007
【図６】
2013057867.tif 000008
【図７】
2013057867.tif 000009
【図８】
2013057867.tif 000010
【図９】
2013057867.tif 000011
【図１０】
2013057867.tif 000012
【国際調査報告】
2013057867.tif 000013
2013057867.tif 000014
2013057867.tif 000015
2013057867.tif 000016